(57)【要約】      （修正有）【課題】電気機器の初期期間と駆動期間での大電流から休止期間での小電流の電流を、電流計の測定レンジを切り替えずに測定できる電気機器検査装置および検査方法を提供する。【解決手段】初期電流が通電される初期期間、駆動電流が通電される駆動期間と小電流が流れる休止期間とを交互に設けた住宅用火災警報器２において、住宅用火災警報器２の電池が接続される一対の電池端子３ａ，３ｂに電池電圧に相当する電圧を印加する電源部４と、一対の電池端子の一方３ｂに接続されて初期電流および駆動電流を測定する大電流測定用電流計５、小電流を測定する小電流測定用電流計６と、小電流測定用電流計６に並列に接続されたバイパス路７を設け、小電流測定用電流計６の電圧降下検出値が所定値以上であるときに、小電流測定用電流計６をバイパス路７にバイパスさせるＭＯＳＦＥＴ８を閉じる電圧降下検出信号を送出するコンパレータ９と、を具備する。【選択図】図１
2011149817.tif 000002
【特許請求の範囲】
【請求項１】
電源投入後、初期処理するための初期電流が通電される初期期間、この初期電流よりも小さい駆動電流が通電される駆動期間、前記初期電流および駆動電流よりも小さい小電流が通電される休止期間とを有し、前記駆動期間と休止期間とを交互に設けた電気機器の前記初期電流、駆動電流および小電流をそれぞれ測定する電気機器検査装置であって、
前記電気機器の電池が接続される一対の電池端子にこの電池電圧に相当する電圧を印加する電源部と、
前記一対の電池端子の一方に接続されて前記初期電流および駆動電流を測定する大電流測定用電流計およびこの大電流測定用電流計に直列に接続されて前記小電流を測定する小電流測定用電流計と、
この小電流測定用電流計に並列に接続されたバイパス路に直列に挿入されたスイッチ手段と、
前記小電流測定用電流計の電圧降下を検出し、この検出値が所定値以上であるときに、電圧降下検出信号を前記スイッチ手段に与えて閉じることにより、前記小電流測定用電流計を前記バイパス路にバイパスさせる電圧降下検出部と、
を具備していることを特徴とする電気機器検査装置。
【請求項２】
前記電気機器は、前記駆動期間毎に前記駆動電流を通電して予め設定された期間、火災要因を検出するように間欠的に駆動する火災検知器であることを特徴とする請求項１記載の電気機器検査装置。
【請求項３】
前記電圧降下検出部から前記電圧降下検出信号を受けたときに、前記電圧降下検出信号に代えて前記スイッチ手段を前記初期期間または駆動期間中閉じさせる１つのバイパス用パルスを前記スイッチ手段に出力するワンショットパルス発生部を具備していることを特徴とする請求項１または２記載の電気機器検査装置。
【請求項４】
電源投入後、初期処理するための初期電流が通電される初期期間、この初期電流よりも小さい駆動電流が通電される所定の駆動期間、前記初期電流および駆動電流よりも小さい小電流が通電される休止期間とを有し、前記駆動期間と休止期間とを交互に設けた電気機器の前記初期電流、駆動電流および小電流をそれぞれ測定する電気機器検査方法であって、
前記電気機器の電池が接続される一対の電池端子にこの電池電圧に相当する電圧を印加するステップと、
前記一対の電池端子の一方に、前記初期電流と駆動電流を測定する大電流測定用電流計および前記小電流を測定する小電流測定用電流計が直列に接続され、スイッチ手段がこの小電流測定用電流計に並列に接続されたバイパス路に直列に挿入されて、前記小電流測定用電流計の電圧降下を検出し、この検出値が所定値以上であるときに、電圧降下検出信号を前記スイッチ手段に与えて閉じることにより、前記小電流測定用電流計を前記バイパス路にバイパスさせるステップと、
を具備していることを特徴とする電気機器検査方法。
【発明の詳細な説明】
【技術分野】
【０００１】
本発明は、電気機器の電流を測定することにより、この電気機器の機能を検査する電気機器検査装置および電気機器検査方法に関する。
【背景技術】
【０００２】
一般に、電気機器の中には、例えば電池駆動の住宅用火災警報器のように、煙発生等の火災要因を検出し警報を出力するように駆動するための駆動電流を通電する駆動機間と、その駆動を休止する休止期間と交互に設け、間欠的に駆動することにより、電源である電池の全体の消費電流を低減し、電池の長寿命化を図ったものがある（例えば、特許文献１参照）。
【０００３】
そして、この種の住宅用火災警報器の消費電流は、例えば１１ｓｅｃ（秒）の休止期間が０．５μＡ、５０ｍｓｅｃ（秒）の駆動期間が６０ｍＡである。さらに、電源投入時の初期期間（スタートアップ動作期間）では、初期処理として、警報開始を言語や所要の報知音により知らせる音声の出力等により、例えば２００ｍＡ〜３００ｍＡの電流が３ｓｅｃ通電された後、機器の自己チェック等のために４〜５ｍＡの電流が１１ｓｅｃ通電される。
【０００４】
このために、これら各期間の電流値をそれぞれ測定し、その測定値が所定の範囲内であるか否かを検査する必要がある。
【０００５】
しかし、これら各期間の電流値は、例えば休止期間中の０．５μＡの小電流から初期期間中の３００ｍＡの大電流まで大きな開きがあるので、通常のデジタルマルチメータ（ＤＭＭ）では、これらの電流を、測定レンジを切り替えずに同時に測定することはできない。
【０００６】
また、数百ｍＡオーダの大電流を電流計の大電流測定レンジにより測定する場合には、その電流計の内部抵抗が、例えば１Ω以下でなければならない。その理由は、この電流計の電圧降下が、その内部抵抗の大きさのために、例えば０．２Ｖ以上である場合には、内蔵マイクロコンピュータにリセットがかかったり、ハングアップが発生して測定不能になったり、電池電圧低下警報が出力されてしまうからである。
【０００７】
さらに、この大電流測定レンジでは、その精度と分解能のために、例えば休止期間中のμＡオーダの小電流（微少電流）を測定できない。一方、μＡオーダの測定レンジでは、内部抵抗が例えば約１００Ω程度あり、挿入したままでは消費電流が増大してしまうという課題もある。
【０００８】
そこで、従来では、大電流測定用電流計により、初期期間中と駆動期間中の大きな電流のみを測定し、休止期間中の微少電流は測定していなかった。
【０００９】
このために、休止期間中の微少電流の異常増大を出荷検査段階で検出できず、短寿命のものが市場に出回る虞があった。
【００１０】
ところで、他の電気機器の一例である乗用車の室内点灯装置では、その負荷電流を電流計により測定する負荷回路検査により検査している。この負荷回路検査装置は、室内点灯装置の電源投入時に電流計をバイパス回路にバイパスすることにより、電源投入時の過大な突入電流が電流計に突入して破壊されることを回避する突入電流回避回路を具備している（例えば、特許文献２参照）。
【先行技術文献】
【特許文献】
【００１１】
【特許文献１】特開２００９−２３８２５０号公報
【特許文献２】特許第３１１１８３９号公報
【発明の概要】
【発明が解決しようとする課題】
【００１２】
しかしながら、この特許文献２記載の負荷回路検査装置では、負荷回路の電源投入時の突入電流を突入電流回避回路により回避し、電源投入時以降の負荷電流を電流計により測定できるが、この電流計によりμＡオーダの小電流から数百ｍＡオーダの大電流までを測定レンジを切り替えずに同時に測定することはできない。
【００１３】
本発明は、このような事情を考慮してなされたもので、電気機器の初期期間中と駆動期間中の大電流から休止期間中の小電流までの電流を、電流計の測定レンジを切り替えずに自動的に測定することができる電気機器検査装置および電気機器検査方法を提供することを目的とする。
【課題を解決するための手段】
【００１４】
請求項１に係る電気機器検査装置は、電源投入後、初期処理するための初期電流が通電される初期期間、この初期電流よりも小さい駆動電流が通電される駆動期間、前記初期電流および駆動電流よりも小さい小電流が通電される休止期間とを有し、前記駆動期間と休止期間とを交互に設けた電気機器の前記初期電流、駆動電流および小電流をそれぞれ測定する電気機器検査装置であって、前記電気機器の電池が接続される一対の電池端子にこの電池電圧に相当する電圧を印加する電源部と、前記一対の電池端子の一方に接続されて前記初期電流および駆動電流を測定する大電流測定用電流計およびこの大電流測定用電流計に直列に接続されて前記小電流を測定する小電流測定用電流計と、この小電流測定用電流計に並列に接続されたバイパス路に直列に挿入されたスイッチ手段と、前記小電流測定用電流計の電圧降下を検出し、この検出値が所定値以上であるときに、電圧降下検出信号を前記スイッチ手段に与えて閉じることにより、前記小電流測定用電流計を前記バイパス路にバイパスさせる電圧降下検出部と、を具備していることを特徴とする。
【００１５】
ここで、駆動電流とは、例えば電気機器が住宅用火災警報器である場合、煙発生等の火災要因を検出するために通電される駆動電流であり、例えば数十ｍＡのオーダの電流である。また、初期電流とは、例えば住宅用火災警報器の電源投入時の初期処理のために通電される例えば数百ｍＡのオーダの大電流であり、駆動電流よりも大きい。
【００１６】
一方、小電流とは、例えば住宅用火災警報器の場合、駆動を停止する休止期間中に通電されるμＡオーダの待機用の微少電流である。
【００１７】
スイッチ手段は、例えばＭＯＳＦＥＴ等のスイッチング機能を有する電子デバイスや電子回路等であり、電圧降下検出信号を受けたときにオン（閉）してバイパス路を短絡させる。
【００１８】
電圧降下検出部は、小電流測定用電流計の電圧降下を、予め設定してある設定値と比較して電圧降下値が所定値を超えたときに電圧降下検出信号を出力するオペアンプ（ＯＡ）等の比較器や比較回路である。
【００１９】
請求項２に係る電気機器検査装置は、前記電気機器は、前記駆動期間毎に前記駆動電流を通電して予め設定された期間、火災要因を検出するように間欠的に駆動する火災検知器であることを特徴とする。
【００２０】
請求項３に係る電気機器検査装置は、前記電圧降下検出部から前記電圧降下検出信号を受けたときに、前記電圧降下検出信号に代えて前記スイッチ手段を前記初期期間または駆動期間中閉じさせる１つのバイパス用パルスを前記スイッチ手段に出力するワンショットパルス発生部を具備していることを特徴とする。
【００２１】
ワンショットパルス発生部はカウンターにより構成されるワンショットパルス発生回路等により構成され、パルス発生手段を有する。パルス発生手段は電圧降下検出信号を受けたときにパルスを発生させる。また、ワンショットパルス発生手段は、パルスオン幅調整手段を有していてもよい。パルスオン幅調整手段は受けた電圧降下検出信号が電源投入後、第１回目（最初）であるときに、パルスオン幅（オンデューティ）を、初期期間と駆動期間とを加算した期間と等しい期間に調整し、入力された電圧降下検出信号が第２回以降であるときには、パルスオン幅を駆動期間と等しい期間に調整するように構成してもよい。
【００２２】
請求項４に係る電気機器検査方法は、電源投入後、初期処理するための初期電流が通電される初期期間、この初期電流よりも小さい駆動電流が通電される所定の駆動期間、前記初期電流および駆動電流よりも小さい小電流が通電される休止期間とを有し、前記駆動期間と休止期間とを交互に設けた電気機器の前記初期電流、駆動電流および小電流をそれぞれ測定する電気機器検査方法であって、前記電気機器の電池が接続される一対の電池端子にこの電池電圧に相当する電圧を印加するステップと、前記一対の電池端子の一方に、前記初期電流と駆動電流を測定する大電流測定用電流計および前記小電流を測定する小電流測定用電流計が直列に接続され、スイッチ手段がこの小電流測定用電流計に並列に接続されたバイパス路に直列に挿入されて、前記小電流測定用電流計の電圧降下を検出し、この検出値が所定値以上であるときに、電圧降下検出信号を前記スイッチ手段に与えて閉じることにより、前記小電流測定用電流計を前記バイパス路にバイパスさせるステップと、を具備していることを特徴とする。
【発明の効果】
【００２３】
この電気機器検査装置によれば、大電流測定用電流計と小電流測定用電流計の測定レンジを切り替えることなく、また、回路構成を変更する作業を行うことなく、初期期間と駆動期間にそれぞれ通電される大電流と、休止期間中に通電される小電流とをそれぞれ測定することができる。
【００２４】
しかも、大電流は大電流測定用レンジの大電流測定用電流計により測定し、小電流は小電流測定用レンジの小電流測定用電流計により測定するので、これら大，小電流の測定精度を共に向上させることができる。
【００２５】
請求項２に係る電気機器検査装置によれば、住宅用火災警報器の初期電流と駆動電流の大電流と共に、従来測定できなかった微少電流等の小電流も小電流測定用電流計により高精度で測定できる。このために、住宅用火災警報器の微小電流の異常増大等を事前に検査できる。
【００２６】
請求項３に係る電気機器検査装置によれば、電圧降下検出部からの電圧降下信号がワンショットパルス発生部に一旦与えられると、このワンショットパルス発生部から、初期期間または駆動期間の両期間中スイッチ手段を閉じさせる１つのパルスがスイッチ手段に与えられて、このスイッチ手段を初期期間または駆動期間の両期間中閉じるので、仮に、小電流測定用電流計の電圧降下がその設定値の前後で変動した場合でも、小電流測定用電流計の電圧降下が一旦、所定値以上に達すると、スイッチ手段の開閉（ＯＮ−ＯＦＦ）動作をハッチングさせずに初期期間と駆動期間の両期間中、安定的に閉じさせることができる。
【００２７】
請求項４に係る発明は、電気機器検査方法に係り、請求項１に係る物の発明とは、物と方法の発明のカテゴリーが相違するだけで実質的に同一であるので、請求項１と同様の作用効果を奏することができる。
【図面の簡単な説明】
【００２８】
【図１】本発明の一実施形態に係る電気機器検査装置の電気的構成を示す電子回路図。
【図２】図１で示す住宅用火災警報器の消費電流とその各通電期間を示すグラフ。
【発明を実施するための形態】
【００２９】
以下、本発明の実施形態を図面に基づいて説明する。
【００３０】
図１は本発明の一実施形態に係る電気機器検査装置の電気的構成を示す電子回路図である。この図１に示すように電気機器検査装置１は、検査対象の電気機器の一例である火災検知器としての住宅用火災警報器２の＋（プラス），−（マイナス）極で一対の電池端子に接続される一対の電池端子３ａ，３ｂ、この一対の電池端子３ａ，３ｂに直流の電池電圧を印加する電源部４、一対の電池端子３ａ，３ｂの一方（−極）３ｂに接続された大電流測定用電流計５、この大電流測定用電流計５に直列に接続された小電流測定用電流計６を具備している。
【００３１】
小電流測定用電流計６にはバイパス路７を並列に接続し、このバイパス路７にはスイッチ手段の一例であるＭＯＳＦＥＴ８を直列に挿入している。
【００３２】
大電流測定用電流計５の−極には電圧降下検出部の一例であるコンパレータ９を接続し、コンパレータ９の出力側にはワンショットパルス発生部の一例であるワンショットパルス発生回路１０を接続している。このワンショットパルス発生回路１０の出力側にはＭＯＳＦＥＴ８のゲートを接続している。
【００３３】
上記電源部４は、例えば定格１２〜１５Ｖのリチウム電池等からなる直流電源４ａ、この直流電源４ａから電源電圧を受電し、その受電電圧を住宅用火災警報器２の定格電圧（例えば３Ｖ）に変換して＋極の電池端子３ａに与える電圧変換部４ｂを具備している。この電圧変換部４ｂは、その出力電圧（例えば３Ｖ）を調整する可変抵抗器ＶＲ１を有する。
【００３４】
また、電源部４は、直流電源４ａから電源電圧を受電して、コンパレータ９の反転入力端子（−）に与えるマイナス電圧を生成するマイナス電源部４ｃを具備している。このマイナス電源部４ｃはそのマイナス電圧（バイアス電圧）を調整する可変抵抗器ＶＲ２を具備している。
【００３５】
上記大電流測定用電流計５は、内部抵抗が例えば約０．００４Ωであって、５ｍＡ〜１５Ａの測定レンジを有するＤＭＭ（デジタルマルチメータ）であり、住宅用火災警報器２の大電流を測定することができる。住宅用火災警報器２の大電流としては、例えば、住宅用火災警報器２の電源投入時のスタートアップ動作期間（初期期間）に通電される約２００ｍＡ〜３００ｍＡの初期電流と、火災要因を検出するために駆動する駆動期間に流れる、例えば５０ｍＡ〜６０ｍＡの駆動電流である。
【００３６】
小電流測定用電流計６は、内部抵抗が例えば約１００Ωであって、５μＡ〜５００μＡの測定レンジを有するＤＭＭ（デジタルマルチメータ）であり、住宅用火災警報器２の小電流を測定することができる。この小電流としては、例えば住宅用火災警報器２の駆動を休止する休止期間（スリープ期間）に流れる、例えば約０．５μＡの微少電流である。
【００３７】
コンパレータ９は、その＋側電源として直流電源４ａから例えば９Ｖ〜１２Ｖを受電する一方、−側電源としてマイナス電源部４ｃから例えば約−３Ｖを受電する。
【００３８】
また、コンパレータ９は、その非反転入力端子（＋）に、小電流測定用電流計６の＋側を接続する一方、反転入力端子（−）に、可変抵抗器ＶＲ３を介してマイナス電源４ｃの出力側を接続し、所定値（設定値）として例えば２０ｍＶを入力させる。
【００３９】
ワンショットパルス発生回路１０は、例えば所要のカウンターにより構成され、コンパレータ９からの電圧降下検出信号を受けたときに、その都度、１発のバイパス用のパルスをＭＯＳＦＥＴ８のゲートに与える。
【００４０】
ワンショットパルス発生回路１０は、パルス発生手段とパルスオン幅（オンデューティ）調整手段とを有する。パルス発生手段は電圧降下検出信号を入力したときに１発のパルスを発生する。パルスオン幅調整手段は、電源投入後、入力された電圧降下検出信号の入力回数をカウントし、その入力回数が第１回目（最初）であるときに、パルスオン幅を初期処理期間と駆動期間とを合算した期間に等しい期間に調整する。また、パルス幅調整手段はワンショットパルス発生回路１０に入力された電圧降下検出信号の入力回数が電源投入後、第２回目以降であるときには、パルスオン幅を駆動期間のみに等しい期間に調整する。
【００４１】
ワンショットパルス発生回路１０は、そのパルス出力側に可変抵抗器ＶＲ４を接続しており、この可変抵抗器ＶＲ４の手動操作により出力パルスのオン幅を適宜調整できる。
【００４２】
図２は住宅用火災警報器２の消費電流とその通電期間を示しており、図中、横軸は時間（ｓｅｃ）を示し、縦軸は各通電期間に流れる電流値（ｍＡ）を示している。各通電期間としては、電源投入後の初期期間、駆動期間および休止期間を有する。住宅用火災警報器２は、例えば２６００ｍＡｈの電池容量の電池電源により、例えば約１０年間の火災検知警報動作をさせるために、平均電流が数μＡ程度で動作するように駆動期間とその駆動の休止期間とを交互に設けている。
【００４３】
駆動期間は、煙や熱の発生等の火災要因を検知するために駆動し、火災要因を検知したときに、火災の発生を知らせる音声や警報音を出力する期間であり、例えば５０ｍｓｅｃ間である。この駆動期間の内、例えば煙検知用の赤外発光ダイオードを発光させる期間は例えば約５００μｓｅｃであり、その消費電流は例えば５６ｍＡであり、それ以外の期間は発光を検知するために７〜８ｍＡの電流で動作する。
【００４４】
一方、休止期間は、例えば約１１ｓｅｃであり、この間に流れる電流は例えば約０．５μＡである。
【００４５】
そして、初期期間は、図２に示すように、電源投入時（０ｓｅｃ）から約１８ｓｅｃ間設定されたスタートアップ動作期間である。この間は、初期処理として警報動作開始を知らせる言語や所要の報知音等の音声の出力や機器の自己チェック等を行なうために、例えば３ｓｅｃの間２００ｍＡ〜３００ｍＡの電流が通電され、その後、マイコン等の自己処理のために、４〜５ｍＡの電力が１０．５ｓｅｃ通電される。さらに、駆動時間と同等の５６ｍＡの消費電流を含む期間が４．５ｓｅｃに設定されている。なお、この５６ｍＡの消費電流は煙検知用の赤外発光ダイオードを発光させるためのものである。
【００４６】
すなわち、住宅用火災警報器２は、電源投入時から１８ｓｅｃ間の初期期間の経過後、１１ｓｅｃの休止期間、５０ｍｓｅｃ間の駆動期間に順次移行し、駆動期間と休止期間とは交互に繰り返される。これにより、火災検知・警報動作は休止期間を置いて間欠的に行なわれる。
【００４７】
次に、この電気機器検査装置１の作用と、その検査方法を説明する。
【００４８】
まず、検査対象の住宅用火災警報器２の一対の電池端子間に、所要の電池を挿入する前に、この一対の電池端子に、電気機器検査装置１の一対の電池端子３ａ，３ｂを電気的に接続し、住宅用火災警報器２の図示しないパワーオンスイッチをオン操作する。
【００４９】
すると、電気機器検査装置１の電圧変換部４ｂから定格電圧（例えば３Ｖ）の電圧が一対の電池端子３ａ，３ｂに印加される。
【００５０】
これにより、住宅用火災警報器２にＤＣ電源が一対の電池端子３ａ，３ｂを介して投入されるので、図２に示すようにこの電源投入時（０）から１８ｓｅｃ間、スタートアップ動作期間（初期期間）として初期処理が行なわれる。
【００５１】
すなわち、『これから警報動作を開始します』等の言語による音声や所要の報知音等の音声が出力され、機器の自己チェック等の初期処理が行なわれる。この初期期間に通電される電流は例えば約２００ｍＡ〜３００ｍＡである。
【００５２】
この後、休止期間へ移行し、この休止期間が１１ｓｅｃ経過した後、５０ｍｓｅｃ間の駆動期間へ移行し、以後、１１ｓｅｃ間の休止期間を置いて、駆動期間が繰り返される。これにより、初期期間の経過後は１１ｓｅｃ間の休止期間を置いて警報検知動作等が間欠的に駆動される。
【００５３】
この駆動期間に通電される電流が５６ｍＡであり、休止期間に通電される電流が０．５μＡであるので、消費電流を節電することができる。
【００５４】
このために、電池容量２６００ｍＡｈの電池電源の寿命を、例えば約１０年間程度に延ばすことができる。
【００５５】
そして、住宅用火災警報器２の初期期間中の２００ｍＡ〜３００ｍＡの初期電流と、各駆動期間中の５６ｍＡの駆動電流は、大電流としてそれぞれ大電流測定用電流計５と小電流測定用電流計６へそれぞれ流入する。
【００５６】
このために、これら大電流は大電流測定用電流計５によりそれぞれ測定される。しかし、これら大電流が小電流測定用電流計６に流入すると、この小電流測定用電流計６の内部抵抗が例えば１００Ωであって高いので、この小電流測定用電流計６での電圧降下が大きい。このために、この電圧降下値がコンパレータ９の設定値（例えば２０ｍＶ）を超えるので、コンパレータ９から第１回（最初）の電圧降下信号が出力され、ワンショットパルス発生回路１０に与えられる。
【００５７】
これにより、ワンショットパルス発生回路１０は、電源投入後に入力された電圧降下検出信号の入力回数をパルスオン幅調整手段によりカウントし、その入力回数が第１回目であると判断したときに、初期期間の１８ｓｅｃの期間と等しい期間に、バイパス用パルスのオン幅を調整してＭＯＳＦＥＴ８のゲートに与える。
【００５８】
これにより、ＭＯＳＦＥＴ８は、初期期間と駆動期間の両期間中、オン（閉）してバイパス路７をショートさせる。その結果、初期電流と駆動電流は、その通電期間中、小電流測定用電流計６に流入せずにバイパス路７を流れる。このために、大電流の初期電流と駆動電流が小電流測定用電流計６へそれぞれ流入することによる小電流測定用電流計６の破損を未然に防止できる。
【００５９】
また、電源投入後、第２回以降の電圧降下検出信号がワンショットパルス発生回路１０へ入力されたときは、そのパルスオン幅調整手段により初期期間を加算せずに駆動期間のみに等しいオン幅に調整されたバイパス用パルスがＭＯＳＦＥＴ８のゲートにそれぞれ与えられる。
【００６０】
このために、第２回目以降の各駆動期間中に通電される駆動電流は大きい電流として、駆動期間中、バイパス路７へ流れ、小電流測定用電流計６には流入しないので、小電流測定用電流計６に初期電流と駆動電流の大きな電流が流入した場合の小電流測定用電流計６の破損を未然に防止できる。
【００６１】
そして、各休止期間中は、住宅用火災警報器２からの微少電流（例えば約０．５μＡ）が大電流測定用電流計５を通って小電流測定用電流計６内へ流入するが、この大電流測定用電流計５は大電流測定用のレンジに設定されているので、この大電流測定用電流計５では微少電流を測定できない。また、大電流測定用電流計５の内部抵抗は例えば０．００４Ωで極小であるので、この大電流測定用電流計５の電圧降下も極めて小さい。
【００６２】
さらに、この小電流測定用電流計６は微少電流を含めた小電流測定用のレンジに設定されているので、この微少電流を小電流測定用電流計６により高精度で測定することができる。このために、仮に微少電流の異常増大等の異常があれば、その異常を検査できる。
【００６３】
また、小電流測定用電流計６の内部抵抗は例えば１００Ωで高いが、これに流入する電流が微少電流であるので、この小電流測定用電流計６での電圧降下はコンパレータ９の設定値（例えば２０ｍＶ）未満となる。このために、コンパレータ９からは電圧降下検出信号が出力されないので、バイパス用パルスがワンショットパルス発生回路１０から出力されない。その結果、ＭＯＳＦＥＴ８は開（オフ）状態が保持されるので、バイパス路７は遮断される。これにより、微少電流は全て小電流測定用電流計６内へ流入し、この小電流測定用電流計６により測定される。
【００６４】
したがって、この電気機器検査装置１とその検査方法によれば、休止期間中のμＡオーダの微少電流から、駆動期間中の駆動電流および初期期間中の数百ｍＡオーダの初期電流までを、小電流測定用電流計６と大電流測定用電流計５とにより測定レンジをそれぞれ切り替えずに自動的かつ高精度に測定できる。したがって、これら電流の異常を検査できる。
【００６５】
また、ワンショットパルス発生回路１０を設けたので、コンパレータ９から電圧降下検出信号が一旦出力されると、ワンショットパルス発生回路１０からバイパス期間が設定された１発のバイパス用パルスがＭＯＳＦＥＴ８のゲートに与えられるので、仮に、小電流測定用電流計６での電圧降下が変動した場合でも、ＭＯＳＦＥＴ８をバイパス期間中、安定してオン（閉）させることができ、ＭＯＳＦＥＴ８のゲートのオンオフ動作のハッチングを防止または低減できる。
【００６６】
なお、上記実施形態の電気機器検査装置１では、ワンショットパルス発生回路１０を具備した場合について説明したが、本発明はこれに限定されるものではなく、例えば図１中のＡ点とＢ点、すなわち、コンパレータ９の出力側とＭＯＳＦＥＴ８のゲート側とを電気的に直結してもよい。
【００６７】
これによっても、コンパレータ９から出力される電圧降下検出信号により直接ＭＯＳＦＥＴ８をオン（閉）させ、小電流測定用電流計６をバイパス路７によりバイパスさせることができる。また、ワンショットパルス発生回路１０を省略することができるので、その分、構成の簡単化とコスト低減を共に図ることができる。
【符号の説明】
【００６８】
１…電気機器検査装置、２…住宅用火災警報器、３ａ，３ｂ…電池端子、４…電源部、４ａ…直流電源、４ｂ…電圧変換部、４ｃ…マイナス電源部、５…大電流測定用電流計、６…小電流測定用電流計、７…バイパス路、８…ＭＯＳＦＥＴ（スイッチ手段）、９…コンパレータ、１０…ワンショットパルス発生回路。
【図１】
2011149817.tif 000003
【図２】
2011149817.tif 000004